(57)【要約】【課題】使用中のネットワークチップが急に破損して正常に機能できない場合、ユーザーは、別のネットワークチップを利用できるようにネットワークケーブルの挿入位置を手動で変える必要があるという問題点を解決できるように、ネットワーク自動接続装置及びその方法を提供すること。【解決手段】本発明は、第１接続口、第２接続口、第１ネットワーク接続ユニット、第２ネットワーク接続ユニット、制御ユニット、及び切替ユニットを含むネットワーク自動接続装置を提供する。第１ネットワーク接続ユニットが正常に動作する時に、第１ネットワーク接続ユニットがネットワークシグナルを送受信するように、切替ユニットは第１ネットワーク接続ユニットを第１接続口に電気的に接続する。第１ネットワーク接続ユニットが故障する場合、第２ネットワーク接続ユニットがネットワークシグナルを送受信するように、切替ユニットは第１接続口を第２ネットワーク接続ユニットに電気的に接続されるように切り替える。【選択図】図１
2010226607.tif 000002
【特許請求の範囲】
【請求項１】
ネットワーク自動接続装置であって、
第１接続口と、
第２接続口と、
第１接続口に電気的に接続された第１ネットワーク接続ユニットと、
第２接続口に電気的に接続された第２ネットワーク接続ユニットと、
第１ネットワーク接続ユニット及び第２ネットワーク接続ユニットに電気的に接続されて、第１ネットワーク接続ユニット及び第２ネットワーク接続ユニットの動作を制御する制御ユニットと、
第１ネットワーク接続ユニット、第２ネットワーク接続ユニットのうちのいずれか１つを第１接続口、第２接続口のうちのいずれか１つに電気的に接続する切替ユニットと、から構成し、
前記第１ネットワーク接続ユニットが正常に動作する時には、前記第１ネットワーク接続ユニットがネットワークシグナルを送受信するように、前記切替ユニットは前記第１ネットワーク接続ユニットを前記第１接続口に電気的に接続し、
前記第１ネットワーク接続ユニットが故障している場合には、前記第２ネットワーク接続ユニットがネットワークシグナルを送受信するように、前記切替ユニットは前記第１接続口を前記第２ネットワーク接続ユニットに電気的に接続されるように切り替えることを特徴とする、ネットワーク自動接続装置。
【請求項２】
第２ネットワーク接続ユニットの動作を制御する制御ユニットを起動する起動ユニットを更に含むことを特徴とする請求項１に記載のネットワーク自動接続装置。
【請求項３】
起動ユニットが第１ネットワーク接続ユニットに配置されていることを特徴とする請求項２に記載のネットワーク自動接続装置。
【請求項４】
起動ユニットが第２ネットワーク接続ユニットに配置されていることを特徴とする請求項２に記載のネットワーク自動接続装置。
【請求項５】
起動ユニットが制御ユニットに配置されていることを特徴とする請求項２に記載のネットワーク自動接続装置。
【請求項６】
制御ユニットはサウスブリッジユニットであることを特徴とする請求項１に記載のネットワーク自動接続装置。
【請求項７】
ネットワーク自動接続方法であって、
第１ネットワーク接続ユニットによってネットワークシグナルを送受信するステップと、
第１ネットワーク接続ユニットにエラーが発生したことをリアルタイムで検出するステップと、
第１ネットワーク接続ユニットのアドレスを第２ネットワーク接続ユニットに複製するステップと、
アドレスの複製が成功した後、第２ネットワーク接続ユニットによってネットワークシグナルを送受信するステップとを含むことを特徴とするネットワーク自動接続方法
【請求項８】
第２ネットワーク接続ユニットを動作させるステップを更に含むことを特徴とする請求項７に記載のネットワーク自動接続方法。
【発明の詳細な説明】
【技術分野】
【０００１】
本発明は、ネットワーク接続装置およびその方法、より詳細にはネットワーク自動接続装置およびその方法に関するものである。
【背景技術】
【０００２】
近年、インターネットアプリケーションの急速拡大の影響として、ネットワークチップの役割が更に重要となってきた。
一般的には、あらゆるコンピュータシステムのマザーボードにはネットワークチップがある。このようなネットワークチップは、標準の縮小命令プロセッサや特殊処理機能付きプロセッサ等の高性能マイクロプロセッサを１つ以上含み、そのネットワーク処理機能がプログラムによって制御されるという主要特性がある。
【０００３】
マイクロプロセッサはネットワークチップに内蔵されているため、ネットワークチップのアプリケーションに開発用ソフトウェアが重要な要素になってきている。従って、ネットワークチップのアプリケーションには、ソフトウェアとハードウェアの組合せが重要である。殆どの場合、ネットワークチップの構造は、対応するソフトウェアと伴う高い計算能力を使用することによって望ましい有効性を得られるマルチマイクロプロセッサの設計である。
【０００４】
現在、どのマザーボードにもネットワークチップの用途の可能性を増やすように、２つのネットワークチップが備えられている。
【０００５】
しかしながら、使用中のネットワークチップが急に破損して正常に機能できない場合、ユーザーは、別のネットワークチップを利用できるようにネットワークケーブルの挿入位置を手動で変える必要がある。従って、２つのネットワークチップが備えられているにもかかわらず、この構成は使いづらく、自動応答機構がない。
【発明の概要】
【発明が解決しようとする課題】
【０００６】
本発明の目的は、使用中のネットワークチップが急に破損して正常に機能できない場合、ユーザーは、別のネットワークチップを利用できるようにネットワークケーブルの挿入位置を手動で変える必要があるという問題点を解決できるように、ネットワーク自動接続装置及びその方法を提供することである。
【課題を解決するための手段】
【０００７】
この目的を達成するために、本発明は、第１接続口、第２接続口、第１ネットワーク接続ユニット、２ネットワーク接続ユニット、制御ユニット、及び切替ユニットを含むネットワーク自動接続装置を提供する。
【０００８】
第１ネットワーク接続ユニットは第１接続口に電気的に接続される。第２ネットワーク接続ユニットは第２接続口に電気的に接続される。制御ユニットは、第１ネットワーク接続ユニット及び第２ネットワーク接続ユニットの動作を制御するように、第１ネットワーク接続ユニット、第２ネットワーク接続ユニットに電気的に接続される。切替ユニットは、それぞれの第１ネットワーク接続ユニット、第２ネットワーク接続ユニットをそれぞれの第１接続口、第２接続口に電気的に接続するためのものである。
【０００９】
第１ネットワーク接続ユニットが正常に動作する時に、第１ネットワーク接続ユニットがネットワークシグナルを送受信するように、切替ユニットは第１ネットワーク接続ユニットを第１接続口に電気的に接続する。第１ネットワーク接続ユニットが故障する場合、第２ネットワーク接続ユニットがネットワークシグナルを送受信するように、切替ユニットは第１接続口を第２ネットワーク接続ユニットに電気的に接続されるように切り替える。
【００１０】
更に、ネットワーク自動接続装置は、第２ネットワーク接続ユニットの動作を制御する制御ユニットを起動する起動ユニットも含む。
【００１１】
上記起動ユニットは第１ネットワーク接続ユニット、第２ネットワーク接続ユニット、又は制御ユニットに配置しても良い。
【００１２】
本発明は、下記のステップを含むネットワーク自動接続方法も含む。先ず、第１ネットワーク接続ユニットによってネットワークシグナルが送受信される。次に、第１ネットワーク接続ユニットにエラーが発生したことがリアルタイムで検出される。その後、第１ネットワーク接続ユニットのアドレスが第２ネットワーク接続ユニットに複製される。最後に、アドレスの複製が成功した後、第２ネットワーク接続ユニットによってネットワークシグナルが送受信される。
さらに、上記ネットワーク自動接続方法は、第２ネットワーク接続ユニットの動作を起動するステップも含む。
【発明の効果】
【００１３】
上述のプロセスを要約すれば、本発明では、第１ネットワーク接続ユニットにエラーが発生したことが検出された時、第１ネットワーク接続ユニットのアドレスが第２ネットワーク接続ユニットに複製されて、そうして制御ユニットが第２ネットワーク接続ユニットを制御するように起動されて、第２ネットワーク接続ユニットがネットワークシグナルを送受信するように切替ユニットによって第１接続口が第２ネットワーク接続ユニットに電気的に接続されるように切り替えられる。その結果、ネットワークケーブルの接続位置を手動で変える必要が無くなる。
【図面の簡単な説明】
【００１４】
【図１】本発明の実施例に係るネットワーク自動接続装置を示すブロック図である。
【図２】本発明の実施例に係るネットワーク自動接続装置を示すブロック図である。
【図３Ａ】本発明の実施例に係るネットワーク自動接続装置を示すブロック図である。
【図３Ｂ】本発明の実施例に係るネットワーク自動接続装置を示すブロック図である。
【図３Ｃ】本発明の実施例に係るネットワーク自動接続装置を示すブロック図である。
【図４】本発明の実施例に係るネットワーク自動接続方法を示すフロー図である。
【発明を実施するための形態】
【００１５】
以下、本発明を図１〜４に基づいて詳細に説明するが、本発明はこの説明に限定されるものではない。
【００１６】
本発明の特徴、利点を以下の実施例に参照しながら詳細に説明する。この詳細な説明の内容は、当業者が本発明を理解して実施できるほど十分なものである。明細書、請求項、図面の表示に基づいて、当業者は本発明の目的と利点を理解できる。下記の実施例は本発明を更に詳しく説明するが、特に限定されるものではない。
【実施例】
【００１７】
図１は、本発明の実施例に係るネットワーク自動接続装置を示すブロック図である。
図１に示すように、本発明のネットワーク自動接続装置は、第１接続口１００、第２接続口１１０、第１ネットワーク接続ユニット１２０、第２ネットワーク接続ユニット１３０、制御ユニット１４０、切替ユニット１５０を含む。
【００１８】
第１ネットワーク接続ユニット１２０は第１接続口１００に電気的に接続される。
第２ネットワーク接続ユニット１３０は第２接続口１１０に電気的に接続される。
【００１９】
制御ユニット１４０は第１ネットワーク接続ユニット１２０、第２ネットワーク接続ユニット１３０に電気的に接続される。
【００２０】
切替ユニット１５０は第１接続口１００、第２接続口１１０、第１ネットワーク接続ユニット１２０、及び第２ネットワーク接続ユニット１３０に電気的に接続される。
【００２１】
第１接続口１００と第２接続口１１０は、ネットワークケーブルに接続されても良い。
【００２２】
第１ネットワーク接続ユニット１２０、第２ネットワーク接続ユニット１３０はネットワークシグナルを送受信するために使用されている。
【００２３】
切替ユニット１５０は、第１ネットワーク接続ユニット１２０、第２ネットワーク接続ユニット１３０のうちのいずれか１つを第１接続口１００、第２接続口１１０のうちのいずれか１つに電気的に接続するように選択する。
【００２４】
制御ユニット１４０は、第１ネットワーク接続ユニット１２０、第２ネットワーク接続ユニット１３０の動作を制御する。
【００２５】
第１ネットワーク接続ユニット１２０が正常に動作する時に、第１ネットワーク接続ユニット１２０がネットワークシグナルを送受信するように、切替ユニット１５０は第１ネットワーク接続ユニット１２０を第１接続口１００に電気的に接続する。第１ネットワーク接続ユニット１２０が故障等の要因で正常に動作しない場合、第２ネットワーク接続ユニット１３０がネットワークシグナルを送受信するように、切替ユニット１５０は第１接続口１００を第２ネットワーク接続ユニット１３０に電気的に接続されるように切り替える。
【００２６】
例えば、コンピュータが第１ネットワーク接続ユニット１２０（例えば、第１ネットワークチップ）を介してインターネットに接続している時、第１接続口１００がネットワークケーブルに接続されて、第１ネットワーク接続ユニット１２０がネットワークシグナルを送受信して、制御ユニット１４０（例えば、サウスブリッジチップ）が第１ネットワーク接続ユニット１２０の動作を制御する。第１ネットワーク接続ユニット１２０が故障する場合、第２ネットワーク接続ユニット１３０がネットワークシグナルを送受信するように、切替ユニット１５０は第１接続口１００を第２ネットワーク接続ユニット１３０（例えば、第２ネットワークチップ）に電気的に接続するように自動的に切り替える。その結果、第２ネットワーク接続ユニット１３０は、ネットワークケーブルを第２接続口１１０に手動で挿入するように変えることなく、使用されることが出来る。ここで、切替ユニット１５０はハードウェアとソフトウェアの組合せによって自動的切り替えを行える。
【００２７】
図２は、本発明の実施例に係る、ネットワーク自動接続装置を示すブロック図である。
図２を参照すると、上記実施例は起動ユニット１６０も含む。第１ネットワーク接続ユニット１２０が故障する場合、起動ユニット１６０は、第２ネットワーク接続ユニット１３０の動作を制御する制御ユニット１４０を起動させる。
【００２８】
例えば、第１ネットワーク接続ユニット１２０（例えば、第１ネットワークチップ）が故障する場合、切替ユニット１５０は第１接続口１００を第２ネットワーク接続ユニット１３０（例えば、第２ネットワークチップ）に電気的に接続するように自動的に切り替えて、そうして起動ユニット１６０は、第２ネットワーク接続ユニット１３０がネットワークシグナルを送受信するように制御ユニット１４０（例えば、サウスブリッジチップ）を起動して、第２ネットワーク接続ユニット１３０の動作を制御する。ここでは、起動ユニット１６０がハードウェアとソフトウェアの組合せによって自動的に起動されることが可能である。
【００２９】
図３Ａは、本発明の実施例に係る、第１ネットワーク接続ユニット１２０に選択的に配置されている起動ユニット１６０を含むネットワーク自動接続装置を示すブロック図である。
【００３０】
図３Ｂは、本発明の実施例に係る、第２ネットワーク接続ユニット１３０に選択的に配置されている起動ユニット１６０を含むネットワーク自動接続装置を示すブロック図である。
【００３１】
図３Ｃは、本発明の実施例に係る、制御ユニット１４０に選択的に配置されている起動ユニット１６０を含むネットワーク自動接続装置を示すブロック図である。
【００３２】
以下、本発明のネットワーク自動接続方法を更に詳しく説明する。
図４は、本発明の実施例に係る、ネットワーク自動接続方法を示すフロー図である。
【００３３】
図４を参照すると、本発明のネットワーク自動接続方法は以下のステップを含む。先ず、第１ネットワーク接続ユニット１２０によってネットワークシグナルが送受信される（ステップＳ２００）。次に、第１ネットワーク接続ユニット１２０にエラーが発生したことがリアルタイムで検出される（ステップＳ３００）。その後、第１ネットワーク接続ユニット１２０のアドレスが第２ネットワーク接続ユニット１３０に複製される（ステップＳ４００）。最後に、ネットワークシグナルが第２ネットワーク接続ユニット１３０によって送受信されるように、制御ユニット１４０を起動して第２ネットワーク接続ユニット１３０の動作を制御する（ステップＳ５００）。
【００３４】
例えば、コンピュータが第１ネットワーク接続ユニット１２０（例えば、第１ネットワークチップ）を介してインターネットに接続している時、第１接続口１００がネットワークケーブルに接続されて、第１ネットワーク接続ユニット１２０がネットワークシグナルを送受信して、制御ユニット１４０（例えば、サウスブリッジチップ）が第１ネットワーク接続ユニット１２０の動作を制御する。第１ネットワーク接続ユニット１２０が故障した場合、第１ネットワーク接続ユニット１２０にエラーが発生したことがハードウェアとソフトウェアの組合せによってリアルタイムで検出されて、第１ネットワーク接続ユニット１２０のアドレス（例えば、ＭＡＣアドレス）が第２ネットワーク接続ユニット１３０（例えば、第２ネットワークチップ）に上記ハードウェア又はソフトウェアによって複製されて、起動ユニット１６０は制御ユニット１４０を起動させて第２ネットワーク接続ユニット１３０の動作を制御して、切替ユニット１５０は第２ネットワーク接続ユニット１３０がネットワークシグナルを送受信するように第１接続口１００を第２ネットワーク接続ユニット１３０に電気的に接続するように自動的に切り替える。その結果、第２ネットワーク接続ユニット１３０は、ネットワークケーブルを第２接続口１１０に手動で挿入するように変えることなく、そのままで使用されることが出来る。
【００３５】
上述のように、本発明では、第１ネットワーク接続ユニットに１２０にエラーが発生したことがソフトウェアとハードウェアの組合せによって検出された時、第１ネットワーク接続ユニット１２０のアドレスが第２ネットワーク接続ユニット１３０に複製されて、そうして制御ユニット１４０が第２ネットワーク接続ユニット１３０を制御するように起動されて、第２ネットワーク接続ユニット１３０がネットワークシグナルを送受信するように、切替ユニット１４０によって第１接続口１００が第２ネットワーク接続ユニット１３０に電気的に接続されるように切り替えられる。その結果、ネットワークケーブルの接続位置を手動で変える必要なく、自動的切り替えが可能になる。
【図１】
2010226607.tif 000003
【図２】
2010226607.tif 000004
【図３Ａ】
2010226607.tif 000005
【図３Ｂ】
2010226607.tif 000006
【図３Ｃ】
2010226607.tif 000007
【図４】
2010226607.tif 000008